(57)【要約】      （修正有）【課題】描出されている断層像が心臓のどの部位の断面に対応するのかを、当該断層像を手掛かりとして直感的に理解することが可能な心臓模型を提供する。【解決手段】心臓の超音波検査装置により描出される断層像を模した心臓の断層図がそれぞれの主面に表された複数の板状部材を用いた心臓模型１００であって、複数の板状部材は、心臓の長軸断層像を模した長軸断層図が表された主板状部材１と、心臓の長軸断層像に対応する長軸断面に交差する１以上の交差軸断面にそれぞれ対応する１以上の断層像を模した交差軸断層図がそれぞれ表された１以上の副板状部材２〜６と、を含み、主板状部材１に、１以上の副板状部材２〜６を、それぞれ、差し込み且つ抜き取ることが可能な１以上の差込部１１〜１５が設けられており、１以上の差込部１１〜１５が長軸断層図の１以上の交差軸断面が位置する部分にそれぞれ位置するように、主板状部材１に設けられている。【選択図】図１
0003211240.tif 000002
【実用新案登録請求の範囲】
【請求項１】
心臓の超音波検査装置により描出される断層像を模した心臓の断層図がそれぞれの主面に表された複数の板状部材を用いた心臓模型であって、
前記複数の板状部材は、心臓の長軸断層像を模した長軸断層図が、前記心臓の断層図として表された主板状部材と、心臓の前記長軸断層像に対応する長軸断面に交差する１以上の交差軸断面にそれぞれ対応する１以上の断層像を模した交差軸断層図が、前記心臓の断層図として、それぞれ表された１以上の副板状部材と、を含み、
前記主板状部材に、前記１以上の副板状部材を、それぞれ、差し込み且つ抜き取ることが可能な１以上の差込部が設けられており、
前記１以上の差込部が、前記長軸断層図の前記１以上の交差軸断面が位置する部分にそれぞれ位置するように、前記主板状部材に設けられている、心臓模型。
【請求項２】
１以上の前記交差軸断層図は、前記長軸断面に直交する１以上の短軸断面にそれぞれ対応する１以上の心臓の短軸断層像をそれぞれ模した１以上の短軸断層図である、請求項１に記載の心臓模型。
【請求項３】
前記心臓の長軸断層像及び前記１以上の心臓の短軸断層像は、心臓の超音波検査装置における標準断面に対応する断層画像である、請求項２に記載の心臓模型。
【請求項４】
前記心臓の断層図に、心臓の部位及び器官の少なくとも一方を表す記号が表されている、請求項１乃至３のいずれかに記載の心臓模型。
【請求項５】
１以上の前記交差軸断層図は、それぞれが対応する前記１以上の副板状部材において、前記主板状部材の前記長軸断層図の長軸方向における一方の方向を向いた主面にそれぞれ表されている、請求項１乃至４のいずれかに記載の心臓模型。
【請求項６】
請求項１乃至５のいずれかに記載の心臓模型を作成するための作成用紙であって、一方の主面に、前記長軸断層図と、１以上の前記交差軸断層図とが表されており、且つ、前記長軸断層図に１以上の前記交差断層像にそれぞれ対応する前記１以上の交差軸断面が表されている、心臓模型作成用の作成用紙。
【考案の詳細な説明】
【技術分野】
【０００１】
本考案は、心臓模型及びその作成用紙に関する。
【背景技術】
【０００２】
従来から心臓の超音波検査（心エコー）が行われている。しかし、心臓の超音波検査の実習教育において、この技術を初心者に習得させることは難しい。
【０００３】
このような問題を解決するものとして、例えば、心臓の超音波検査法の実習教育において使用できる心臓模型が提案されている（特許文献１参照）。この心臓模型は、傍胸骨長軸断層像、短軸断層像大動脈レベル、短軸断層像僧帽弁レベル、短軸断層像乳頭筋レベルからなる超音波検査法断層像と一致する断面の一種もしくは二種以上で分割可能である。
【０００４】
この心臓模型によれば、超音波画像と実際の心臓におけるその断面との関係を明らかにすることにより、超音波操作の方法を効率よく理解できるとされている。
【先行技術文献】
【特許文献】
【０００５】
【特許文献１】特開２００７−１７８８３２号公報
【考案の概要】
【考案が解決しようとする課題】
【０００６】
ところで、心臓の超音波検査の習得に際して、初心者が必要とすることは、描出されている断層像が心臓のどの部位の断面に対応するのかを、当該断層像を手掛かりとして直感的に理解することである。しかし、上記心臓模型は、心臓自体を模したものであるので、断面を見た場合、心臓の切断された部分の断面の他に心臓の内部が見えるため、見る者に対し、２値画像である断層像を直感させない。その結果、描出されている断層像が心臓のどの部位の断面に対応するのかを、当該断層像を手掛かりとして直感的に理解しづらい。
【０００７】
また、上記心臓模型は、プラスチネーション処理又は合成樹脂の成型によって作成されるので、簡単に作成することができない。さらに、上記心臓模型は、組み立てた状態はもちろんのこと、各分割片に分解した状態であっても、三次元の立体物であるので持ち運びに不便である。
【０００８】
本考案は、このような課題を解決するためになされたもので、描出されている断層像が心臓のどの部位の断面に対応するのかを、当該断層像を手掛かりとして直感的に理解することが可能な心臓模型を提供することを第１の目的とする。
【０００９】
また、本考案は、簡単に作成することが可能な心臓模型を提供することを第２の目的とする。
【００１０】
さらに、本考案は、持ち運びに便利な心臓模型を提供することを第３の目的とする。
【課題を解決するための手段】
【００１１】
上記課題を解決するために、本考案のある態様に係る心臓模型は、心臓の超音波検査装置により描出される断層像を模した心臓の断層図がそれぞれの主面に表された複数の板状部材を用いた心臓模型であって、前記複数の板状部材は、心臓の長軸断層像を模した長軸断層図が、前記心臓の断層図として表された主板状部材と、心臓の前記長軸断層像に対応する長軸断面に交差する１以上の交差軸断面にそれぞれ対応する１以上の断層像を模した交差軸断層図が、前記心臓の断層図として、それぞれ表された１以上の副板状部材と、を含み、前記主板状部材に、前記１以上の副板状部材を、それぞれ、差し込み且つ抜き取ることが可能な１以上の差込部が設けられており、前記１以上の差込部が、前記長軸断層図の前記１以上の交差軸断面が位置する部分にそれぞれ位置するように、前記主板状部材に設けられている。
【００１２】
この構成によれば、心臓の断面に対応する板状部材に、心臓の超音波検査装置により描出される断層像を模した心臓の断層図が表されているので、見る者に対し、断層図が断層像を直感させる。その結果、描出されている断層像が心臓のどの部位の断面に対応するのかを、当該断層像を手掛かりとして直感的に理解することが可能である。また、例えば、複数の断層図を印刷した作成用紙を適宜切断し、これらを適宜な板状の基材に貼り付けて主板状部材及び副板状部材を作成し、主板状部材に、カッター等の切断具により切り目を形成して差込部を設け、当該差込部に副板状部材を差し込むことにより、心臓模型を簡単に作成することができる。さらに、完成した心臓模型において、主板状部材の差込部から副板状部材を抜き取って心臓模型を分解すると、二次元の板状部材の集まりになるので、持ち運びに便利である。
【００１３】
１以上の前記交差軸断層図は、前記長軸断面に直交する１以上の短軸断面にそれぞれ対応する１以上の心臓の短軸断層像をそれぞれ模した１以上の短軸断層図であってもよい。
【００１４】
この構成によれば、心臓超音波検査では、一般に、長軸断層像と短軸断層像とが描出されるので、一般の心臓超音波検査に対応可能な心臓模型を提供できる。
【００１５】
前記心臓の長軸断層像及び前記１以上の心臓の短軸断層像は、心臓の超音波検査装置における標準断面に対応する断層画像であってもよい。
【００１６】
この構成によれば、標準的な心臓超音波検査に対応可能な心臓模型を提供できる。
【００１７】
前記心臓の断層図に、心臓の部位及び器官の少なくとも一方を表す記号が表されていてもよい。
【００１８】
この構成によれば、心臓の断層部図を見た場合、記号によって心臓の部位及び器官の少なくとも一方を認識することができるので、心臓の構造をより理解しやすい。
【００１９】
１以上の前記交差軸断層図は、それぞれが対応する前記１以上の副板状部材において、前記主板状部材の前記長軸断層図の長軸方向における一方の方向を向いた主面にそれぞれ表されていてもよい。
【００２０】
この構成によれば、主板状部材の長軸断層図の長軸方向における一方の方向から見た場合に、全ての副板状部材の交差軸断層図を見ることができるので、心臓の構造をさらに理解し易い。
【００２１】
また、本考案の他の態様に係る心臓模型用の作成用紙は、上記のいずれかの心臓模型を作成するための作成用紙であって、一方の主面に、前記長軸断層図と、１以上の前記交差軸断層図とが表されており、且つ、前記長軸断層図に前記１以上の前記交差断層像にそれぞれ対応する前記１以上の交差軸断面が表されている。
【００２２】
この構成によれば、例えば、上記心臓模型の作成用紙を適宜切断し、これらを適宜な板状の基材に貼り付けて主板状部材及び副板状部材を作成し、主板状部材に、カッター等の切断具により切り目を形成して差込部を設け、当該差込部に副板状部材を差し込むことにより、心臓模型を簡単に作成することができる。
【考案の効果】
【００２３】
本考案によれば、第１に、描出されている断層像が心臓のどの部位の断面に対応するのかを、当該断層像を手掛かりとして直感的に理解することが可能な心臓模型を提供することができる。
【００２４】
また、本考案によれば、第２に、簡単に作成することが可能な心臓模型を提供することができる。
【００２５】
さらに、本考案によれば、持ち運びに便利な心臓模型を提供することができる。
【図面の簡単な説明】
【００２６】
【図１】図１は、本考案の実施形態に係る心臓模型の構成を示す斜視図である。
【図２】図２は、図１の心臓模型を構成する主板状部材及び第１副板状部材を示す図であって、（ａ）は、主板状部材の構成を示す平面図であり、（ｂ）は、第１副板状部材の構成を示す平面図である。
【図３】図３は、図１の心臓模型を構成する第２乃至第５副板状部材を示す図であって、（ａ）は、第２副板状部材の構成を示す平面図であり、（ｂ）は、第３副板状部材の構成を示す平面図であり、（ｄ）は、第４副板状部材の構成を示す平面図であり、（ｄ）は、第５副板状部材の構成を示す平面図である。
【図４】図４は、図１の心臓模型の各軸断層図に対応する心臓の断面を示す模式図であって、（ａ）は、長軸断層図に対応する心臓の長軸断面を示す模式図であり、（ｂ）は、短軸断層図に対応する心臓の短軸断面を示す模式図である。
【図５】図５は、図１の心臓模型の作成用紙の平面図である。
【考案を実施するための形態】
【００２７】
以下、本考案の実施形態を、添付図面を参照しつつ説明する。なお、以下では、全ての図を通じて、同一又は相当する要素には同一の参照符号を付して、その重複する説明を省略する。
【００２８】
（実施形態）
［構成］
図１は、本考案の実施形態に係る心臓模型の構成を示す斜視図である。なお、図１では、心臓模型が遠近を付けて示されている。以下では、便宜上、図１に矢印で示す方向を前後左右の方向と定義する。
【００２９】
図１を参照すると、本実施形態の心臓模型１００は、心臓の超音波検査装置により描出される断層像を模した心臓の断層図がそれぞれの主面に表された複数の板状部材１〜６を用いた心臓模型である。複数の板状部材１〜６は、心臓の長軸断層像を模した長軸断層図が、心臓の断層図として表された主板状部材１と、心臓の長軸断層像に対応する長軸断面に交差する１以上の交差軸断面にそれぞれ対応する１以上の断層像を模した交差軸断層図が、心臓の断層図として、それぞれ表された１以上の副板状部材２〜６と、を含む。
【００３０】
長軸断層像に対応する心臓の長軸断面は特に限定されない。例えば、胸骨傍−長軸断面、心尖長軸断面、心尖−四腔断面等が例示される。交差軸断面の長軸断面との交差角は任意である。交差角として、３０度、６０度、９０度等が例示される。長軸断面との交差角が９０度である交差軸断面を短軸断面と称する。以下では、短軸断面を例にとって説明する。
【００３１】
主板状部材の数は１つであるが、副板状部材の数は１以上であればよい。ここでは、副板状部材２〜６の数は、例えば、５つである。
【００３２】
主板状部材１の外形及び副板状部材２〜６の外形は特に限定されない。ここでは、主板状部材１の外形は、例えば矩形であり、副板状部材２〜６の外形は、例えば、それぞれの交差軸断層図の外形に沿った外形である。
【００３３】
主板状部材１の材料及び副板状部材２〜６の材料は特に限定されない。ここでは、主板状部材１の材料は、例えば、発泡樹脂である。主板状部材１は、例えば、発泡樹脂製の板の主面に、長軸断層図が印刷された紙が貼り付けられて構成される。副板状部材２〜６の材料は、例えば、紙の両面に透明な樹脂フィルムが積層された複合フィルムである。副板状部材２〜６は、例えば、一方の主面に交差軸断層図が印刷された紙の両面に透明な樹脂フィルムが積層されて構成される。
【００３４】
主板状部材１には、１以上の副板状部材２〜６を、それぞれ、差し込み且つ抜き取ることが可能な１以上の差込部１１〜１５が設けられている。これらの１以上の差込部１１〜１５は、長軸断層図の１以上の交差軸断面が位置する部分にそれぞれ位置するように、主板状部材１に設けられている。心臓模型１００は、使用者が手に持って取り扱うので、必ずしも自立する必要はない。
【００３５】
以下、この心臓模型１００をより詳しく説明する。
【００３６】
図４は、図１の心臓模型の各軸断層図に対応する心臓の断面を示す模式図であって、（ａ）は、長軸断層図に対応する心臓の長軸断面を示す模式図であり、（ｂ）は、短軸断層図に対応する心臓の短軸断面を示す模式図である。
【００３７】
図４は、心臓超音波検査における断層像（心エコー図）の基準断面を示している。図４（ａ）及び（ｂ）において、参照符号３０は心臓を示し、３０ａは心尖を示す。
【００３８】
図４（ａ）において、参照符号３１は、胸骨傍−長軸断面を示す。なお、「胸骨傍」は「傍胸骨」と表現される場合もあるが、本明細書では、「胸骨傍」と表現する。この断面は、基準長軸断面であり、心臓３０の心尖３０ａを通る。胸骨傍−長軸断面に対応する断層像が胸骨傍−長軸断層像である。
【００３９】
図４（ｂ）において、参照符号３２は、胸骨傍−短軸断面大動脈レベルを示す。参照符号３３は、胸骨傍−短軸断面僧帽弁−腱索レベルを示す。参照符号３５は、胸骨傍−短軸断面乳頭筋レベルを示す。これらの断面は、基準短軸断面である。基準短軸断面は、基準長軸断面に直交する。
【００４０】
胸骨傍−短軸断面大動脈レベルに対応する断層像が胸骨傍−短軸断層像大動脈レベルである。胸骨傍−短軸断面帽弁−腱索レベルに対応する断層像が胸骨傍−短軸断層像帽弁−腱索レベルである。胸骨傍−短軸断面乳頭筋レベルに対応する断層像が胸骨傍−短軸断層像乳頭筋レベルである。
【００４１】
なお、本実施形態では、さらに基準短軸断面ではない２つの短軸断面にそれぞれ対応する２つの短軸断層像が用いられる。具体的には、図４を参照すると、胸骨傍−短軸断面僧帽弁−腱索レベル３３と胸骨傍−短軸断面乳頭筋レベル３５との間に位置する所定の胸骨傍−短軸断面（図５の参照符号５４を参照）に対応する所定の胸骨傍−短軸断層像と、胸骨傍−短軸断面乳頭筋レベル３５と心尖３０ａとの間に位置する胸骨傍−短軸断面心尖部レベル（図５の参照符号５６を参照）に対応する胸骨傍−短軸断層像心尖部レベルとが用いられる。
【００４２】
図１乃至図４を参照すると、主板状部材１の一方の主面（図１の左側主面）に、胸骨傍−長軸断層像を模した胸骨傍−長軸断層図２１が表されている。ここで、「断層像を模した」とは、「断層像」を簡略化したことを意味する。具体的には、超音波検査において２値画像として描出される断層像は、２値の領域の境界が必ずしも明瞭でない画像であるが、この画像が模式化されて簡略化される。また、「断層図」は、ここでは、「断層像」の２値の領域にそれぞれ対応する２色の領域で表される。これらの点は、以下の「断層像」を模した「断層図」においても同様である。
【００４３】
図２（ａ）を参照すると、胸骨傍−長軸断層図２１には、心臓の部位及び器官が記号（ＬＶ，ＲＶ等）で示されている。この記号の意味は、図２（ｂ）乃至図３（ｄ）中の記号と一括して後述する。
【００４４】
また、胸骨傍−長軸断層図２１には、丸で囲まれた１乃至５の数字が示されている。これらの数字は、差込部１１〜１５にそれぞれ差し込まれるべき第１乃至第５副板状部材２〜６の識別番号である。差込部１１〜１５は、胸骨傍−長軸断層図２１の、上記５つの短軸断面が位置する部分にそれぞれ位置するように主板状部材１に設けられている。差込部１１〜１５は、第１乃至第５副板状部材２〜６の厚みと最大幅（上下方向の最大寸法）にそれぞれ対応する幅及び長さを有する直線状のスリットに形成されている。
【００４５】
図１、図２（ａ）、及び図４を参照すると、差込部１１は、胸骨傍−長軸断層図２１の、胸骨傍−短軸断面大動脈レベル３２が位置する部分に位置するように主板状部材１に設けられている。差込部１１には、第１副板状部材２が差し込まれる。
【００４６】
差込部１２は、胸骨傍−長軸断層図２１の、胸骨傍−短軸断面僧帽弁−腱索レベル３３が位置する部分に位置するように主板状部材１に設けられている。差込部１２には、第２副板状部材３が差し込まれる。
【００４７】
差込部１３は、胸骨傍−長軸断層図２１の、上記所定の胸骨傍−短軸断面が位置する部分に位置するように主板状部材１に設けられている。差込部１３には、第３副板状部材４が差し込まれる。
【００４８】
差込部１４は、胸骨傍−長軸断層図２１の、胸骨傍−短軸断面乳頭筋レベル３５が位置する部分に位置するように主板状部材１に設けられている。差込部１４には、第４副板状部材５が差し込まれる。
【００４９】
差込部１５は、胸骨傍−長軸断層図２１の、胸骨傍−短軸断面心尖部レベルが位置する部分に位置するように主板状部材１に設けられている。差込部１５には、第５副板状部材６が差し込まれる。
【００５０】
図１、図２（ｂ）、及び図４を参照すると、第１副板状部材２の一方の主面（図１の前側主面）に、胸骨傍−短軸断層像大動脈レベルを模した胸骨傍−短軸断層図大動脈レベル２２が表されている。胸骨傍−短軸断層図大動脈レベル２２には、心臓の部位及び器官が記号で示されている。また、胸骨傍−短軸断層図大動脈レベル２２には、丸で囲まれた１の数字が示されている。この数字は、第１副板状部材２の識別番号である。
【００５１】
図１、図３（ａ）、及び図４を参照すると、第２副板状部材３の一方の主面（図１の前側主面）に、胸骨傍−短軸断層像僧帽弁−腱索レベルを模した胸骨傍−短軸断層図僧帽弁−腱索レベル２３が表されている。胸骨傍−短軸断層図僧帽弁−腱索レベル２３には、心臓の部位及び器官が記号で示されている。また、胸骨傍−短軸断層図僧帽弁−腱索レベル２３には、丸で囲まれた２の数字が示されている。この数字は、第２副板状部材３の識別番号である。
【００５２】
図１、図３（ｂ）、及び図４を参照すると、第３副板状部材４の一方の主面（図１の前側主面）に、上記所定の胸骨傍−短軸断層像を模した所定の胸骨傍−短軸断層図２４が表されている。所定の胸骨傍−短軸断層図２４には、心臓の部位及び器官が記号で示されている。また、所定の胸骨傍−短軸断層図２４には、丸で囲まれた３の数字が示されている。この数字は、第３副板状部材４の識別番号である。
【００５３】
図１、図３（ｃ）、及び図４を参照すると、第４副板状部材５の一方の主面（図１の前側主面）に、胸骨傍−短軸断層像乳頭筋レベルを模した胸骨傍−短軸断層図乳頭筋レベル２５が表されている。胸骨傍−短軸断層図乳頭筋レベル２５には、心臓の部位及び器官が記号で示されている。また、胸骨傍−短軸断層図乳頭筋レベル２５には、丸で囲まれた４の数字が示されている。この数字は、第４副板状部材５の識別番号である。
【００５４】
図１、図３（ｄ）、及び図４を参照すると、第５副板状部材６の一方の主面（図１の前側主面）に、胸骨傍−短軸断層像心尖部レベルを模した胸骨傍−短軸断層図心尖部レベル２６が表されている。胸骨傍−短軸断層図心尖部レベル２６には、心臓の部位及び器官が記号で示されている。また、胸骨傍−短軸断層図心尖部レベル２６には、丸で囲まれた５の数字が示されている。この数字は、第５副板状部材６の識別番号である。
【００５５】
図２（ａ）乃至図３（ｄ）において、胸骨傍−長軸断層図２１、胸骨傍−短軸断層図大動脈レベル２２、胸骨傍−短軸断層図僧帽弁−腱索レベル２３、所定の胸骨傍−短軸断層図２４、胸骨傍−短軸断層図乳頭筋レベル２５、及び胸骨傍−短軸断層図心尖部レベル２６に示されている各記号は、以下の心臓の部位又は器官を意味する。
【００５６】
ＲＶは右心室を意味し、ＬＶは左心室を意味する。ＡＭＬは僧帽弁前尖を意味し、ＰＭＬは僧帽弁後尖を意味する。ＡＰＭは前乳頭筋を意味し、ＰＰＭは後乳頭筋を意味する。ＩＶＳは心室中隔を意味し、ＰＷは後壁を意味する。ＬＡは左房を意味し、ＲＡは右房を意味する。Ａｏは大動脈を意味し、ＣＳは冠静脈洞を意味する。ＲＣＣは右冠尖を意味し、ＬＣＣは左冠尖を意味し、ＮＣＣは無冠尖を意味する。ＡＴＬは三尖弁前尖を意味し、ＳＴＬは三尖弁中隔尖を意味する。ＰＡＶは肺動脈弁を意味し、ＬＡＡは左心耳を意味する。ＤＡｏは下行大動脈を意味し、ＲＰＡは右肺動脈を意味し、ＬＰＡは左肺動脈を意味する。
【００５７】
［作成方法］
次に、以上のように構成された心臓模型の作成方法を説明する。図５は、図１の心臓模型１００の作成用紙の平面図である。
【００５８】
図５を参照すると、作成用紙４１の一方の主面には、図２（ａ）乃至図３（ｄ）に示された、胸骨傍−長軸断層図２１、胸骨傍−短軸断層図大動脈レベル２２、胸骨傍−短軸断層図僧帽弁−腱索レベル２３、所定の胸骨傍−短軸断層図２４、胸骨傍−短軸断層図乳頭筋レベル２５、及び胸骨傍−短軸断層図心尖部レベル２６が表されている。胸骨傍−長軸断層図２１において、参照符号５２〜５６は、それぞれ、胸骨傍−短軸断面大動脈レベル３２、胸骨傍−短軸断面僧帽弁−腱索レベル３３、所定の胸骨傍−短軸断面、胸骨傍−短軸断面乳頭筋レベル３５、及び胸骨傍−短軸断面心尖部レベルを示す。これらの断層図２１〜２６は、例えば、印刷により作成用紙４１の一方の主面に表される。
【００５９】
先ず、この作成用紙４１を準備し、各断層図２１〜２６を、適宜な切断具によって、適宜な形状に切断する。具体的には、例えば、胸骨傍−短軸断層図大動脈レベル２２、胸骨傍−短軸断層図僧帽弁−腱索レベル２３、所定の胸骨傍−短軸断層図２４、胸骨傍−短軸断層図乳頭筋レベル２５、及び胸骨傍−短軸断層図心尖部レベル２６を、それぞれの外形に沿った外形に切断する。そして、切断された各紙片（各短軸断層図が表されている）の両面に透明な樹脂フィルムを積層し、この各紙片と樹脂フィルムとの積層体を各紙片の外形に沿った外形に切断する。このようにして、第１乃至第５副板状部材２〜６が作成される。
【００６０】
次いで、胸骨傍−長軸断層図２１を矩形に切断し、適宜な厚みの矩形の発泡樹脂製の板部材の一方に主面に貼り付ける。そして、胸骨傍−長軸断層図２１における、胸骨傍−短軸断面大動脈レベル３２、胸骨傍−短軸断面僧帽弁−腱索レベル３３、所定の胸骨傍−短軸断面、胸骨傍−短軸断面乳頭筋レベル３５、及び胸骨傍−短軸断面心尖部レベルにそれぞれ対応する部位５２〜５６に、カッター等によって切り目を入れることにより、図２（ａ）に示す差込部１１〜１５を形成する。これらの差込部１１〜１５は、第１乃至第５副板状部材２〜６の厚みと最大幅にそれぞれ対応する幅及び長さを有する直線状のごく狭いスリットに形成される。このようにして、主板状部材１が作成される。
【００６１】
次いで、主板状部材１の差込部１１〜１５に、それぞれ、第１乃至第５副板状部材２〜６を差し込む。このようにして、心臓模型１００が作成される。従って、心臓模型１００を簡単に作成することができる。
【００６２】
［使用方法］
次に、以上のように作成された心臓模型１００の使用方法を説明する。ここでは、心臓の超音波検査において、胸骨傍−長軸断層像が描出され、次いで、上述の各々の胸骨傍−短軸軸断層像が示される場合を説明する。
【００６３】
図１乃至図３を参照すると、使用者は心臓模型１００を手に持つ。心臓の超音波検査装置によって、胸骨傍−長軸断層像が描出されると、使用者は、心臓模型１００の主板状部材１の左側主面を自分に向けて、当該左側主面に表された胸骨傍−長軸断層図２１を見る。
【００６４】
次いで、いずれかの胸骨傍−短軸軸断層像が描出されると、使用者は、心臓模型１００を前側から見て、描出された胸骨傍−短軸軸断層像に対応する胸骨傍−短軸断層図を、第１乃至第５副板状部材２〜６の胸骨傍−短軸断層図２２〜２６の中から探す。そして、描出された胸骨傍−短軸軸断層像に対応する胸骨傍−短軸断層図が見つかると、例えば、その胸骨傍−短軸断層図が表された副板状部材を主板状部材１から抜き取り、その胸骨傍−短軸断層図によって、心臓の部位及び器官を確認する。また、主板状部材１の当該副板状部材を抜き取った差込部の位置から、心臓の当該胸骨傍−短軸軸断層像に対応する部位の断面を知る。この場合、心臓の断面に対応する主板状部材及び第１乃至第５副板状部材１〜６に、心臓の超音波検査装置により描出される断層像を模した心臓の断層図２１〜２６が表されているので、見る者に対し、断層図２１〜２６が断層像を直感させる。その結果、描出されている断層像が心臓のどの部位の断面に対応するのかを、当該断層像を手掛かりとして直感的に理解することができる。
【００６５】
使用後は、心臓模型１００において、主板状部材１の差込部１１〜１５から副板状部材２〜６を抜き取って心臓模型１００を分解する。そうすると、二次元の板状部材の集まりになるので、持ち運びに便利である。
【００６６】
［その他の実施形態］
主板状部材１及び第１乃至第５副板状部材２〜６を以下のように作成してもよい。例えば、プラスチック樹脂を用いたモールド成形により主板状部材１及び第１乃至第５副板状部材２〜６用の基板を作成し、これらの基板に、上述の心臓模型の作成用紙４１から切り取った断層図２１〜２６を貼り付ける。なお、主板状部材１用の基板には、予め所定の態様の差込部１１〜１５を形成しておく。その後、主板状部材１の差込部１１〜１５に第１乃至第５副板状部材２〜６をそれぞれ差し込む。
【００６７】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造および／又は機能の詳細を実質的に変更できる。
【産業上の利用可能性】
【００６８】
本考案の心臓模型及びその作成用紙は、描出されている断層像が心臓のどの部位の断面に対応するのかを、当該断層像を手掛かりとして直感的に理解することが可能な心臓模型及びその作成用紙として有用である。
【符号の説明】
【００６９】
１  主板状部材
２  第１副板状部材
３  第２副板状部材
４  第３副板状部材
５  第４副板状部材
６  第５副板状部材
１１〜１５  差込部
２１  胸骨傍−長軸断層図
２２  胸骨傍−短軸断層図大動脈レベル
２３  胸骨傍−短軸断層図僧帽弁−腱索レベル
２４  所定の胸骨傍−短軸断層図
２５  胸骨傍−短軸断層図乳頭筋レベル
２６  胸骨傍−短軸断層図心尖部レベル
３０  心臓
３０ａ  心尖
４１  作成用紙
５２〜５６
１００  心臓模型
【図１】
0003211240.tif 000003
【図２】
0003211240.tif 000004
【図３】
0003211240.tif 000005
【図４】
0003211240.tif 000006
【図５】
0003211240.tif 000007